(57)【要約】      （修正有）【課題】火を止めた後も竈及び、竈に乗せた釜が高温を保持しつづけることでふっくらとしたご飯が炊き上がる、携帯用簡易竈を提供する。【解決手段】内ケース２のフランジ部２０１が外ケース１の段差部１０２上に支持されて、両ケースの間に空間Ｘ１が形成され、羽釜４の鍔部４０２が、内ケース２のフランジ部２０１上に支持され燃焼室が形成される。また、ドーム型カバー３の段差部３０３は、外ケース１の上部開口周縁部１０１に支持され羽釜４及び釜蓋５を上部から覆い被せることで空間Ｘ２が形成される。従って炊飯において、火が消えた後、燃焼室は、空間Ｘ１により外部から断熱されることで消火直後の高温状態を維持する。一方、空間Ｘ２が一定の断熱作用を発生させ、羽釜４及び釜蓋５の上部から羽釜の熱を逃がさないため、羽釜も高温に維持される。【選択図】図２
0003113158.tif 000002
【実用新案登録請求の範囲】
【請求項１】
上方が開口し、該開口周縁部の内側に段差部が周設された外ケースと、
上方が開口し、該開口周縁部に炊飯用羽釜の鍔を支持するフランジ部が周設されるとともに、前記段差部に該フランジ部が支持されて前記外ケースの内側に離間するように収容されて、前記外ケースと協働して竈本体を構成する内ケースと、
前記外ケースの開口周縁部に係合して該外ケースの上方開口部を覆うドーム型のカバーとを備え、
前記外ケースの底，前記内ケースおよび前記カバーには、それぞれ空気孔が設けられるとともに、前記内ケースのフランジ部の周方向略等分複数箇所に屈曲部が形成されて、前記内ケースのフランジ部と前記炊飯用羽釜の鍔との間には、前記内ケース内側の燃焼室と前記カバーで覆われた前記外ケースの上方空間を連通させる空気通路が設けられたことを特徴とする携帯用簡易竈。
【請求項２】
前記外ケースの底には、中央の空気孔を取り囲む複数の脚である突起が設けられ、前記内ケースの底には、前記外ケースの空気孔を取り囲む複数の空気孔が設けられ、前記カバーの頂部に空気孔が設けられたことを特徴とする請求項１に記載の携帯用簡易竈。
【請求項３】
前記外ケースの周縁部には、該外ケースを吊り下げるための金属製の線材で形成された取手が取り外し可能に取着されたことを特徴とする請求項１又は２に記載の携帯用簡易竈。
【請求項４】
前記カバー頂部には、上方に突出する筒状部により前記空気孔が構成されるとともに、前記筒状部の突出端部には前記金属製取手が係合する切り欠きが設けられたことを特徴とする請求項１〜３のいずれかに記載の携帯用簡易竈。
【考案の詳細な説明】
【技術分野】
【０００１】
この考案は、携帯用簡易竈に関する。
【背景技術】
【０００２】
従来の簡易な炊飯具には、通気口が切りかかれ、中空円筒状に形成された、竈の上部に羽釜を乗せたものや（下記特許文献１参照）、竈の代わりにコンロを用意し、その上部に釜を保持したもの（下記特許文献２参照）があった。
【０００３】
【特許文献１】実開平３−８８４２６
【特許文献２】実願平６−４０４
【考案の開示】
【考案が解決しようとする課題】
【０００４】
一般的な炊飯方法は、まず点火して釜を加熱し、一定時間加熱した後に火を止め、更に一定時間「蒸らす」必要がある。ここで一般的にご飯をふっくらと炊き上げようとする場合には、米に良く火を通す必要が有ると考えられている。即ち、火を止めた後の「蒸らし」の間においても、継続して釜内部の米に熱が与えられる方が、米に熱がさらに行き渡ることで米が立ち、ご飯がふっくらとおいしく炊きあがると考えられるためである。そのためには、釜に熱を供給する竈が、火を止めても内部に高温を保持しつづけることで、「蒸らし」の間、釜に熱を与え続けることが出来ること、及び釜から熱が逃げにくい構造が望ましいといえる。
【０００５】
しかし、上記特許文献に示すいずれの器具も、ご飯がふっくらと炊き上がらないという問題が有った。その理由は、上記いずれの器具も、竈又はコンロ（以降竈等という）の側壁に大きく空気孔が切りかかれていること（図５（ａ）に示す、上記特許文献１の符号８及び同図（ｂ）に示す、上記特許文献２の符号５を参照）により、熱が逃げてしまうことや、外壁が一重（図５（ａ）に示す、上記特許文献１の符号３及び同図（ｂ）に示す、上記特許文献２の符号１を参照）で、有効な断熱保温措置が取られているとはいえないこと等により、火を止めた後も釜に熱を与えつづける程の高温を竈等の内部に保持できないためと考えられる。従って、火を止めた後は、竈等の内部は温度が低下していき高温を保持できないため、「蒸らし」の間、釜にひいては釜内の米に必要な熱を与え続けることが出来ないといえる。一方、釜から釜蓋にかけては直接外気にさらされているため、そのことによって釜自体の熱が逃げてしまうことにより、釜自体の温度低下も促進され、竈等の温度低下と併せて、米に対して高温による「蒸らし」が出来ずにごはんがふっくらと炊き上がらない原因となっていると考えられる。
【０００６】
この考案の目的は、上記のような問題点に鑑みてなされたもので、火を止めた後も竈及び、竈に乗せた釜が高温を保持しつづけることでふっくらとしたご飯が炊き上がる、携帯用簡易竈を提供することにある。
【課題を解決するための手段】
【０００７】
前記目的を達成するために、本考案に係る携帯用簡易竈においては、上方が開口し、該開口周縁部の内側に段差部が周設された外ケースと、上方に開口し、該開口周縁部に炊飯用羽釜の鍔を支持するフランジ部が周設されるとともに、前記段差部に該フランジ部が支持されて前記外ケースの内側に離間するように収容されて、前記外ケースと協働して竈本体を構成する内ケースと、
前記外ケースの開口周縁部に係合して該外ケースの上方開口部を覆うドーム型のカバーとを備え、前記外ケースの底，前記内ケースおよび前記カバーには、それぞれ空気孔が設けられるとともに、前記内ケースのフランジ部の周方向略等分複数箇所に屈曲部が形成されて、前記内ケースのフランジ部と前記炊飯用羽釜の鍔との間には、前記内ケース内側の燃焼室と前記カバーで覆われた前記外ケースの上方空間を連通させる空気通路が設けられるように構成した。
【０００８】
また、請求項２においては、請求項１に記載の携帯用簡易竈において、前記外ケースの底には、中央の空気孔を取り囲む複数の脚である突起が設けられ、前記内ケースの底には、前記外ケースの空気孔を取り囲む複数の空気孔が設けられ、前記カバーの頂部に空気孔が設けられるように構成した。
【０００９】
また、請求項３においては、請求項１または２に記載の携帯用簡易竈において、前記外ケースの周縁部には、該外ケースを吊り下げるための金属製の取手が取り外し可能に取着されるように構成した。
【００１０】
また、請求項４においては、請求項１〜３のいずれかに記載の携帯用簡易竈において、前記カバー頂部には、上方に突出する筒状部により前記空気孔が構成されるとともに、前記筒状部の突出端部には前記金属製取手が係合する切り欠きが設けられるように構成した。
【考案の効果】
【００１１】
以上のように請求項１の考案に係る携帯用簡易竈によれば、外ケース内部に内ケースが収納され協働して竈本体を構成するが、その際、前記内ケースは、前記外ケース内部の段差部に内ケースのフランジ部が支持されるため、底面が外ケースの底面から浮いた形で収納される。更に羽釜は、内ケースフランジ部の屈曲部上に羽釜の鍔が支持されるため、底面が前記内ケース底面から浮いた形で内ケース上に乗ることになる。このとき、竈本体の内部では、羽釜の底部外面と前記内ケース底部内面との間に空間が形成されて、固形等の燃料を置く燃焼室となる一方、内ケース底部外面と前記外ケース底部内面にも一つの空間が形成（以降この空間を空間Ｘ１という）されることにより、該空間Ｘ１が外部と該燃焼室間に一定の断熱作用を発生させている。一方で竈本体の上部は、ドーム型のカバーにより覆われているため、竈本体の上に支持された羽釜は、その上部を釜蓋ごと前記ドーム型のカバーによって全面的に覆われる。このとき羽釜の上部と前記ドーム型のカバー内部との間にも空間が形成（以降この空間を空間Ｘ２という）されていることで、該空間Ｘ２が外部と釜の上部との間に一定の断熱作用を発生させている。
【００１２】
燃焼室の内部は、火が消えた直後は気体の流れが止まることで高温の気体が留まるため、高温状態である。ここで、燃焼室下側の前記空間Ｘ１と、ドーム型カバー内部の前記空間Ｘ２が、外部に対して一定の断熱作用を果たすため、熱を逃がさず、竈本体及び羽釜を全体として高温のまま保持する。また、燃焼室へ外気を取り入れるための空気通路は、外ケース底部の空気孔、内ケースの空気孔、燃焼室、燃焼室上部に設けられた、羽釜の鍔と内ケースのフランジ部により形成された空気通路及び前記カバーの空気孔へと全て連通することで確保されているため、燃焼室内で酸欠による不完全燃焼が起きる心配が無い。更に、外気を取り入れる最初の空気孔は、外ケースの底部に開口しているため、風などの影響により余分な空気が竈本体に入り込むことで、竈本体及び羽釜の温度低下を招くこということも最小限度に留めることが出来る。
【００１３】
以上のことから、請求項１の考案に係る携帯用簡易竈は、竈本体及び上部を覆うドーム型カバーの保温性により、火が止まった後も温度低下が少なく、竈本体及び羽釜が高温に保たれるという作用を生じ、それに伴い羽釜が内部の米を高温で蒸らすことが出来るため、ふっくらとしたご飯を炊き上げるという効果を生ずる。
【００１４】
請求項２の考案に係る携帯用簡易竈によれば、外ケースの底に中央の空気孔を取り囲む複数の脚である突起が設けられている。従って、外ケース底面下部と地面の間には隙間が設けられ、外ケース底部中央の空気孔が地面との接触により遮断されることを防止出来ると共に、内ケース底部からドーム型カバーの頂部に至るまで空気孔が連通することで燃焼時の空気通路が確保出来るという効果を生ずる。
【００１５】
請求項３の考案に係る携帯用簡易竈によれば、線材で形成された金属製の取手が外ケースに取り付けられているため、前記取手を掴んで本簡易釜をぶら下げることが出来る。従って、本簡易竈を実際に携帯して移動する場合の携帯が楽になるという効果を生ずる。
【００１６】
請求項４の考案に係る携帯用簡易竈によれば、ドーム型カバー頂部に形成された空気孔の突出端部に設けられた切欠に、線材で形成された金属製の前記取手が係合することで、竈本体とドーム型カバーをしっかり固定することが出来、携帯して移動する際のがたつきを抑えることが出来ると言う効果を生ずる。
【考案を実施するための最良の形態】
【００１７】
以下、図面を参照してこの考案の一実施例を説明する。
図１〜３は、本考案に係る携帯用簡易竈の一実施形態を示すもので、図１は携帯用簡易竈の各構成物品を示した分解斜視図、図２は同竈の縦断面図、図３は同竈における空気通路を示す断面図である。
【００１８】
まず、図１を参照しながら、本実施形態における各構成物品を説明する。外ケース１の全体形状は、上部に開口し、底部の有る円筒形として形成している。そして、上部開口周縁部１０１の内側やや下方には、底面と平行な段差部１０２が形成され、内ケース２のフランジ部２０１を支持出来るようになっている（図２を参照）。また上部開口周縁部１０１の側面には取手取付孔１０５が、向かい合わせに２つ開口し、金属製線状取手６を該取付孔１０５に着脱することが出来る。尚、上部開口周縁部１０１は、ドーム型カバー３の段差部３０３を支持するため、周縁部を折り返す等して強度を上げておくことが望ましい。
【００１９】
次に底部１０６には、外部から燃焼に必要な空気を取り入れる空気孔１０３を中央に設けると共に、該空気孔を取り囲むように、下方に向けて張り出した脚状の突起部１０４を複数設けておく。尚、本実施例では、半球状の突起を６つ形成してあるが空気孔１０３を遮蔽しないように、突起部は少なくとも３つ以上有ることが望ましく、突起の形状には尖頭状、角柱状、直方体状の長いもの等も考えられる。いずれにせよ、空気孔１０３を遮蔽しないように（図２を参照）外ケースの底部を地面から浮かせることが出来るものであれば、脚部の形状は自由に採用することが出来る。尚、外ケースの素材は、耐熱性を持たせる必要があるため、ステンレスとすることが望ましい。しかし、金属であるアルミニウム、アルミニウム板金、鋳鉄やその他にも鋳物やセラミック等耐熱性のある素材を使用することも可能である。
【００２０】
次に内ケース２の全体形状は、上部に開口し、底部の有る円筒形として形成している。ここで、上部の開口周縁部は外部に向かって折り曲げられ、フランジ部２０１が形成され、該フランジ部上には、上に向かって張り出した屈曲部２０２が、周方向に対して等間隔に複数箇所形成されている。該屈曲部２０２の上には、羽釜４の鍔部４０１を支持出来るようになっている。次に底部２０３は、燃料２４を置くため、底部に向かって傾斜面が形成されている。また、底部２０３には、内ケース２と羽釜４により形成される空間が燃焼室Ｗとなるため、燃焼に必要な空気が導入されるように、複数の空気孔２０４が形成されている。尚、本実施形態においては、円状の空気孔を５ヶ所開口している。また内ケース２の素材は、耐熱性を持たせる必要があるため、ステンレスを使用することが考えられる。しかし、金属であるアルミニウム、アルミニウム板金、鋳鉄やその他にも鋳物やセラミック等耐熱性のある素材を使用することも可能である。
【００２１】
次にドーム型カバー３について説明する。ドーム型カバー３は、半球状のドーム型に形成してあり、頂部に燃焼後の気体や炊飯時の水蒸気を排出する、突出空気孔３０１を備えている。該空気孔３０１における先端の周縁部上には、中心を挟んで向かい合わせに取手係合溝３０２が２箇所切り欠かれており（図２を参照）、金属線状取手６と係合することで、竈本体とドーム型カバー３が固定される。一方、ドーム型カバー３は下部で開口し、該開口周縁部の内側やや上方には水平方向に段差部３０３が形成され、外ケース１の上部開口周縁部１０１によって支持されるように形成されている。また、下部開口周縁部の側面には、カバー３を外ケース１に被せたときに取手取付孔１０５へ干渉しないように、溝が中心に対して向かい合わせに２個所切り欠かれている。尚、ドーム型カバー３の素材は、耐熱性を持たせる必要があるため、ステンレスとすることが望ましい。しかし、金属であるアルミニウム、アルミニウム板金、鋳鉄やその他にも鋳物やセラミック等耐熱性のある素材を使用することも可能である。
【００２２】
尚、羽釜４は、内ケース２上に設置されるサイズであって、内ケース２のフランジ部２０１上の屈曲部２０２で支持されるように、鍔部４０１を備えたものであれば、アルミニウム、鋳物、鋳鉄、セラミック等で作られた既存の羽釜が使用できる。尚、前記鍔部４０１とフランジ部２０１により形成される空気通路Ｓ１（図３（ｂ）を参照）を確保するため、鍔部４０１の外径はフランジ部２０１の外径より小さく形成する必要がある。一方釜蓋５は、羽釜４の上部開港縁の外径と釜蓋５における下部開口縁の内径がほぼ同じであって、羽釜の上から多い被せることが出来るサイズであること、及び熱くても掴める把持部を備えたものなら、木製又は金属製等の如何を問わず既存の釜蓋で足りる。尚、燃料２４は、固形燃料又はジェル状の燃料を耐熱性の有る容器などに入れたものが使用できる。
【００２３】
取手６は、金属製の線材で形成し、終端２箇所を折り返して形成されている。その終端部２箇所を取手取付部１０５に挿入すれば、取手６が該取付部１０５を軸受けとして回動自在に取り付けられる。一方、取手６を、取手取付溝３０２に係合させれば、竈本体とドーム型カバー３が固定され、持ち運び時のガタツキを軽減出来る。また、上部は掴みやすいよう輪状に形成し、把持部として形成されている。尚、素材は、熱で歪んだりしないように耐熱性の有る金属とする必要があり、例えばステンレスとすることが考えられる。一方、線材の太さや強度は携帯竈の重量を考慮し、吊り下げての移動に耐え得るものとすることが望ましい。
【００２４】
次に図２より、本実施形態に係る携帯竈の内部構造について説明する。本携帯竈は、まず、外ケース１内部の段差部１０２上において、フランジ部２０１が支持されることで、内ケース２が収納されている。また、該内ケース２のフランジ部２０１に形成された屈曲部２０２上において、鍔部４０１が支持されることで、開口部に釜蓋５が被せられた羽釜４が収納されている。更に、段差部３０３が外ケース１の上部開口周縁部１０１によって支持される状態で、羽釜４及び釜蓋５の上からドーム型カバー３が被せられている。
【００２５】
ここで、内ケース２の底部２０３は、外ケース１の底部１０６から浮いているため、該底部２０３の外壁面及び該底部１０６の内壁面との間には、空間Ｘ１が形成される。また、羽釜４の底部４０２は、内ケース２の底部２０３から浮いているため、羽釜４の底部４０２の外壁面及び内ケース２の底部２０３の内壁面との間には空間が形成され、燃焼室Ｗとして機能する。ここで前記空間Ｘ１は、外部と燃焼室間に一定の断熱作用を発生させることから、竈本体は、燃焼室Ｗにおいて保温性を有することとなる。更に、カバー３はドーム型に形成されていることから、該カバー３の内壁面、釜蓋５の上面及び羽釜４における鍔部４０１より上の部分等によって、空間Ｘ２が形成される。そして該空間Ｘ２は外部と羽釜上部の間に一定の断熱作用を発生させることから、羽釜の上部から熱が外部へ逃げにくく、羽釜自体も保温性を有することとなる。
【００２６】
次に、図３（ａ）及び（ｂ）より本実施形態に係る携帯竈の空気の流れについて説明する。まず外ケース１底部の空気孔１０３より取り入れられた空気Ｔ１が、内ケース２底部の空気孔２０４より燃焼室Ｗへ侵入する。そして侵入した空気Ｔ１は、火がついていれば燃焼により燃焼室Ｗ内を上昇し、フランジ２０１上の屈曲部２０２と羽釜の鍔部４０１により形成された隙間Ｓ１（図３(ｂ)を参照）から空間Ｘ２へと排出される。そして、最終的に空気Ｔ１は突出空気孔３０１から外部へ放出される。また燃焼室へ侵入しない空気Ｔ２は、空間Ｘ１内に留まり、外ケース１の段差部１０２と内ケース２の屈曲部２０２により形成されたわずかな隙間Ｓ２（図３(ｂ)を参照）から、少しずつ空間Ｘ２へ移動する。
【００２７】
図２と図３により、本実施形態に係る携帯竈を使用した場合の説明をする。まず内ケース２を外ケース１に収納し、内ケース２の底部２０３の内面に燃料２４を置き、燃料２４に火をつけた後、米や水を入れて釜蓋５を被せた羽釜４を乗せる。点火から一定時間後に火は止まるが、図３（ａ）に示すとおり、燃焼により燃焼室Ｗ内をドーム型カバー３の突出空気孔３０１へ向かって強制的に押し出されるように流れていた空気Ｔ１の流れは火が消えることで一気に減速する。そのため、加熱時は燃焼によって強制的に突出空気孔３０１より排出されていた高温の気体が、保温性の高い燃焼室Ｗ及び空間Ｘ２に留まることとなる。従って火を止めた直後から携帯竈内、即ち竈本体の燃焼室と空間Ｘ２の温度は上昇し、やがて下がり始めるものの、燃焼室Ｗと空間Ｘ２の高い保温性により、携帯竈全体が高温状態のまま一定期間保持されることとなる。
【００２８】
尚、図４は、釜蓋５における上部表面の温度変化を時間経過に従って計測したデータを表すものである。０〜１５分までは、火がついていて（１５分で火が消えるよう燃料の量を調整している）、ご飯を炊いている時間、１６分〜３０分までは火が止まり蒸らしている時間、その後の５分間は、ドーム型カバー３を取った状態で計測している。尚、図４の右下の値は、ドーム型カバー３を５分早く取った場合の温度変化を計測したものである。
【００２９】
図４によると、まず火をつけてから３〜４分程度で沸騰し、その後は火が消えるまで９６℃から９９℃近辺の一定温度を保ったままである。しかし、１５分を経過し火が止まった直後から釜蓋５の上部表面温度は上昇し始め、消火後８分間は、ピーク時の１０８℃を筆頭に１００℃以上の高温を保持している。一方消火後８分から１３分の間でも火がついている時と変わらない９６℃以上を保っており、１３分を超えた辺りからわずかずつ温度が下がり、消火後１５分で９４℃になっている。
【００３０】
尚、蒸らしが終わった後にドーム型カバー３を外した場合の温度変化を見てみると、蒸らしを１５分行った場合には、蒸らしの最後に温度が低下し始めるが、それでも該カバー３を外してから３分間は９１℃以上を保っていることが分かる。一方で蒸らしの時間を１０分に短縮して、消火から１０分経過後にドーム型カバー３を取った場合、その後の５分間の温度変化は、ドーム型カバー３を外さずに蒸らしを１５分行った場合と、温度変化の仕方が殆ど変わらないことが表１よりわかる。即ち、竈に当たる羽釜から下の部分は、消火後の特に１５分以内は、ドーム型カバー３を外しても、火がついているときと変わらない非常に高い温度を保持出来る状態にあって、高い保温性を有しているものと言える。
【００３１】
このように、本携帯竈は、消火後の「蒸らし」に必要な時間の大半において、火がついている場合と変わらない高温状態を内部に保持することが出来るばかりでなく、火を消した直後からの一定時間は、点火時を超える高温状態を内部に作り出すため、米に良く火が通ることでふっくらとしたご飯を炊き上げることが出来る点で価値のあるものである。
【図面の簡単な説明】
【００３２】
【図１】本考案の一実施例である携帯用簡易竈の分解斜視図。
【図２】同竈の内部を表す縦断面図。
【図３】同竈における空気通路を示す断面図。（ａ）同竈に導入された空気の流れを示す断面図。（ｂ）隙間Ｓ１及びＳ２をＡ方向から見た断面図。
【図４】同竈の蓋釜５における上部表面温度の変化を表す表。
【図５】従来技術を表す斜視図と断面図。（ａ）特許文献１に係る従来技術を表す斜視図。（ｂ）特許文献２に係る従来技術を表す断面図。
【符号の説明】
【００３３】
１             外ケース
２             内ケース
３             ドーム型カバー
４             羽釜
５             釜蓋
６             金属製線状取手
２４            燃料
１０１          上部開口周縁部
１０２          段差部
１０３          空気孔
１０４          突起部
１０５          取手取付孔
１０６          底部
２０１          フランジ部
２０２          屈曲部
２０３          底部
２０４          空気孔
３０１          突出空気孔
３０２          取手係合溝
３０３          段差部
４０１          鍔部
４０２          底部
Ｗ                   燃焼室
Ｓ１                  屈曲部２０２と鍔部４０１の間で形成される隙間
Ｓ２                  段差部１０２と屈曲部２０２の間で形成される隙間
Ｔ１           燃焼室Ｗを経由して空間Ｘ２へ排出される空気
Ｔ２           燃焼室Ｗを経由せず空間Ｘ２へ排出される空気
Ｘ１                  内ケース底部と外ケース底部との間で形成される空間
Ｘ２                  羽釜底部と内ケース底部との間で形成される空間
【図１】
0003113158.tif 000003
【図２】
0003113158.tif 000004
【図３】
0003113158.tif 000005
【図４】
0003113158.tif 000006
【図５】
0003113158.tif 000007